(57)【要約】【課題】  媒体に付着したインクのドットの完全な硬化後の大きさのばらつきを低減することができるインクジェットプリンターを提供する。【解決手段】  インクジェットプリンターにおいて、光照射装置３３、３４と、光照射装置３３、３４によって照射される光によって硬化させられるインクを吐出するインクジェットヘッド３１との主走査方向における距離３０ａ、３０ｂと、光照射装置３５、３６と、光照射装置３５、３６によって照射される光によって硬化させられるインクを吐出するインクジェットヘッド３２との主走査方向における距離３０ｃ、３０ｄとは、光照射装置３３、３４と、光照射装置３５、３４との間で異なり、光照射装置３３〜３６のそれぞれによって照射される光の強さは、媒体に付着したインクのドットの完全な硬化後の大きさが特定の範囲内に収まる程度において、距離３０ａ〜３０ｄが長いほど、強いことを特徴とする。【選択図】  図３
2020175563.tif 000002
【特許請求の範囲】
【請求項１】
光が照射されることによって硬化するインクを媒体に向けて吐出する第１のインクジェットヘッドと、
前記媒体に付着したインクに向けて光を照射し、主走査方向において前記第１のインクジェットヘッドを挟む位置に配置される第１の光照射装置および第２の光照射装置と、
制御部と
を備え、
前記第１の光照射装置および前記第２の光照射装置は、前記第１のインクジェットヘッドが前記主走査方向に移動させられる場合に、前記第１のインクジェットヘッドとともに前記主走査方向に移動させられ、
前記制御部は、前記第１のインクジェットヘッドを前記主走査方向に移動させる場合に前記第１のインクジェットヘッドによってインクを吐出させるとき、前記第１のインクジェットヘッドによって吐出されて前記媒体に付着したインクに、前記第１の光照射装置および前記第２の光照射装置のうち前記第１のインクジェットヘッドの移動方向の上流側に前記第１のインクジェットヘッドに対して配置されている方によって光を照射し、
前記第１のインクジェットヘッドとの前記主走査方向における距離は、前記第１の光照射装置および前記第２の光照射装置の間で異なり、
前記第１の光照射装置および前記第２の光照射装置のそれぞれによって照射される光の強さは、前記媒体に付着したインクのドットの完全な硬化後の大きさが特定の範囲内に収まる強さであり、
前記第１の光照射装置および前記第２の光照射装置のうち、前記第１のインクジェットヘッドとの前記主走査方向における距離が長い方によって照射される光の強さは、前記第１のインクジェットヘッドとの前記主走査方向における距離が短い方によって照射される光の強さより強いことを特徴とするインクジェットプリンター。
【請求項２】
光が照射されることによって硬化するインクを前記媒体に向けて吐出する第２のインクジェットヘッドと、
前記媒体に付着したインクに向けて光を照射し、前記主走査方向において前記第２のインクジェットヘッドと並んで配置される第３の光照射装置と
を備え、
前記第３の光照射装置は、前記第２のインクジェットヘッドが前記主走査方向に移動させられる場合に、前記第２のインクジェットヘッドとともに前記主走査方向に移動させられ、
前記制御部は、前記第２のインクジェットヘッドを前記主走査方向に移動させる場合であって、前記第２のインクジェットヘッドの移動方向の上流側に前記第２のインクジェットヘッドに対して前記第３の光照射装置が配置されている場合に、前記第２のインクジェットヘッドによってインクを吐出させるとき、前記第２のインクジェットヘッドによって吐出されて前記媒体に付着したインクに前記第３の光照射装置によって光を照射し、
前記第１の光照射装置および前記第３の光照射装置は、前記主走査方向に直交する副走査方向における位置が互いに異なり、
前記第３の光照射装置は、前記第２のインクジェットヘッドに対して前記主走査方向において、前記第１の光照射装置が前記第１のインクジェットヘッドに対して配置されている側と同一の側に配置されていて、
前記第３の光照射装置と、前記第２のインクジェットヘッドとの前記主走査方向における距離は、前記第１の光照射装置と、前記第１のインクジェットヘッドとの前記主走査方向における距離と異なり、
前記第３の光照射装置によって照射される光の強さは、前記媒体に付着したインクのドットの完全な硬化後の大きさが前記特定の範囲内に収まる強さであり、
前記第３の光照射装置によって照射される光の強さは、
前記第３の光照射装置と、前記第２のインクジェットヘッドとの前記主走査方向における距離が、前記第１の光照射装置と、前記第１のインクジェットヘッドとの前記主走査方向における距離より長い場合に、前記第１の光照射装置によって照射される光の強さより強く、
前記第３の光照射装置と、前記第２のインクジェットヘッドとの前記主走査方向における距離が、前記第１の光照射装置と、前記第１のインクジェットヘッドとの前記主走査方向における距離より短い場合に、前記第１の光照射装置によって照射される光の強さより弱いことを特徴とする請求項１に記載のインクジェットプリンター。
【発明の詳細な説明】
【技術分野】
【０００１】
本発明は、媒体に向けてインクを吐出することによって印刷を実行するインクジェットプリンターに関する。
【背景技術】
【０００２】
従来、光が照射されることによって硬化するインクを媒体に向けて吐出するインクジェットヘッドと、このインクジェットヘッドに対して走査方向における両側に１つずつ配置されて、媒体に付着したインクに向けて光を照射する２つの光照射装置とを備えるインクジェットプリンターが知られている（例えば、特許文献１参照。）。
【先行技術文献】
【特許文献】
【０００３】
【特許文献１】特開２００５−１４４６７９号公報
【発明の概要】
【発明が解決しようとする課題】
【０００４】
しかしながら、従来のインクジェットプリンターにおいては、インクジェットヘッドと、光照射装置との走査方向における距離が２つの光照射装置の間で異なる場合に、インクジェットヘッドによって吐出されて媒体にインクが付着してから、このインクに光照射装置によって光が照射されるまでの時間が、走査方向のうち一方の方向である往路方向への印刷と、走査方向のうち他方の方向である復路方向への印刷との間で異なるので、インクジェットヘッドによって吐出されて媒体に付着したインクのドットの完全な硬化後の大きさが、往路方向への印刷と、復路方向への印刷との間で異なるという問題がある。
【０００５】
そこで、本発明は、媒体に付着したインクのドットの完全な硬化後の大きさのばらつきを低減することができるインクジェットプリンターを提供することを目的とする。
【課題を解決するための手段】
【０００６】
本発明のインクジェットプリンターは、光が照射されることによって硬化するインクを媒体に向けて吐出する第１のインクジェットヘッドと、前記媒体に付着したインクに向けて光を照射し、主走査方向において前記第１のインクジェットヘッドを挟む位置に配置される第１の光照射装置および第２の光照射装置と、制御部とを備え、前記第１の光照射装置および前記第２の光照射装置は、前記第１のインクジェットヘッドが前記主走査方向に移動させられる場合に、前記第１のインクジェットヘッドとともに前記主走査方向に移動させられ、前記制御部は、前記第１のインクジェットヘッドを前記主走査方向に移動させる場合に前記第１のインクジェットヘッドによってインクを吐出させるとき、前記第１のインクジェットヘッドによって吐出されて前記媒体に付着したインクに、前記第１の光照射装置および前記第２の光照射装置のうち前記第１のインクジェットヘッドの移動方向の上流側に前記第１のインクジェットヘッドに対して配置されている方によって光を照射し、前記第１のインクジェットヘッドとの前記主走査方向における距離は、前記第１の光照射装置および前記第２の光照射装置の間で異なり、前記第１の光照射装置および前記第２の光照射装置のそれぞれによって照射される光の強さは、前記媒体に付着したインクのドットの完全な硬化後の大きさが特定の範囲内に収まる強さであり、前記第１の光照射装置および前記第２の光照射装置のうち、前記第１のインクジェットヘッドとの前記主走査方向における距離が長い方によって照射される光の強さは、前記第１のインクジェットヘッドとの前記主走査方向における距離が短い方によって照射される光の強さより強いことを特徴とする。
【０００７】
この構成により、本発明のインクジェットプリンターは、主走査方向においてインクジェットヘッドを挟む位置に配置される２つの光照射装置のそれぞれによって照射される光の強さが、媒体に付着したインクのドットの完全な硬化後の大きさが特定の範囲内に収まる強さであり、これら２つの光照射装置のうち、インクジェットヘッドとの主走査方向における距離が長い方によって照射される光の強さが、インクジェットヘッドとの主走査方向における距離が短い方によって照射される光の強さより強いので、これら２つの光照射装置のいずれによって照射された光によって硬化させられたかにかかわらず、インクジェットヘッドによって吐出されて媒体に付着したインクのドットの完全な硬化後の大きさを特定の範囲内に略同一の大きさで収めることができる。したがって、本発明のインクジェットプリンターは、主走査方向においてインクジェットヘッドを挟む位置に配置されていて、このインクジェットヘッドとの距離が互いに異なる２つの光照射装置の一方を使用して主走査方向のうち一方の方向へ印刷を実行する場合と、これら２つの光照射装置の他方を使用して主走査方向のうち他方の方向へ印刷を実行する場合とで、媒体に付着したインクのドットの完全な硬化後の大きさのばらつきを低減することができる。
【０００８】
本発明のインクジェットプリンターは、光が照射されることによって硬化するインクを前記媒体に向けて吐出する第２のインクジェットヘッドと、前記媒体に付着したインクに向けて光を照射し、前記主走査方向において前記第２のインクジェットヘッドと並んで配置される第３の光照射装置とを備え、前記第３の光照射装置は、前記第２のインクジェットヘッドが前記主走査方向に移動させられる場合に、前記第２のインクジェットヘッドとともに前記主走査方向に移動させられ、前記制御部は、前記第２のインクジェットヘッドを前記主走査方向に移動させる場合であって、前記第２のインクジェットヘッドの移動方向の上流側に前記第２のインクジェットヘッドに対して前記第３の光照射装置が配置されている場合に、前記第２のインクジェットヘッドによってインクを吐出させるとき、前記第２のインクジェットヘッドによって吐出されて前記媒体に付着したインクに前記第３の光照射装置によって光を照射し、前記第１の光照射装置および前記第３の光照射装置は、前記主走査方向に直交する副走査方向における位置が互いに異なり、前記第３の光照射装置は、前記第２のインクジェットヘッドに対して前記主走査方向において、前記第１の光照射装置が前記第１のインクジェットヘッドに対して配置されている側と同一の側に配置されていて、前記第３の光照射装置と、前記第２のインクジェットヘッドとの前記主走査方向における距離は、前記第１の光照射装置と、前記第１のインクジェットヘッドとの前記主走査方向における距離と異なり、前記第３の光照射装置によって照射される光の強さは、前記媒体に付着したインクのドットの完全な硬化後の大きさが前記特定の範囲内に収まる強さであり、前記第３の光照射装置によって照射される光の強さは、前記第３の光照射装置と、前記第２のインクジェットヘッドとの前記主走査方向における距離が、前記第１の光照射装置と、前記第１のインクジェットヘッドとの前記主走査方向における距離より長い場合に、前記第１の光照射装置によって照射される光の強さより強く、前記第３の光照射装置と、前記第２のインクジェットヘッドとの前記主走査方向における距離が、前記第１の光照射装置と、前記第１のインクジェットヘッドとの前記主走査方向における距離より短い場合に、前記第１の光照射装置によって照射される光の強さより弱くても良い。
【０００９】
この構成により、本発明のインクジェットプリンターは、副走査方向における位置が互いに異なり、インクジェットヘッドに対して主走査方向において同一の側に配置されている２つの光照射装置を使用して主走査方向へ印刷を実行する場合に、これら２つの光照射装置の一方によって光が照射されたインクのドットの完全な硬化後の大きさと、これら２つの光照射装置の他方によって光が照射されたインクのドットの完全な硬化後の大きさとを特定の範囲内に略同一の大きさで収めることができる。したがって、本発明のインクジェットプリンターは、副走査方向における位置が互いに異なり、インクジェットヘッドに対して主走査方向において同一の側に配置されている２つの光照射装置を使用して主走査方向へ印刷を実行する場合に、媒体に付着したインクのドットの完全な硬化後の大きさのばらつきを低減することができる。
【発明の効果】
【００１０】
本発明のインクジェットプリンターは、媒体に付着したインクのドットの完全な硬化後の大きさのばらつきを低減することができる。
【図面の簡単な説明】
【００１１】
【図１】本発明の一実施の形態に係るインクジェットプリンターの外観斜視図である。
【図２】図１に示すインクジェットプリンターのブロック図である。
【図３】インクジェットヘッドおよび光照射装置の一例を示すための図１に示すキャリッジの底面図である。
【図４】インクジェットヘッドおよび光照射装置の、図３に示す例とは異なる一例を示すためのキャリッジの底面図である。
【図５】インクジェットヘッドおよび光照射装置の、図３および図４に示す例とは異なる一例を示すためのキャリッジの底面図である。
【図６】インクジェットヘッドおよび光照射装置の、図３〜図５に示す例とは異なる一例を示すためのキャリッジの底面図である。
【図７】インクジェットヘッドおよび光照射装置の、図３〜図６に示す例とは異なる一例を示すためのキャリッジの底面図である。
【図８】本発明の一実施の形態に係るインクジェットプリンターの変形例の外観斜視図である。
【発明を実施するための形態】
【００１２】
以下、本発明の一実施の形態について、図面を用いて説明する。
【００１３】
まず、本実施の形態に係るインクジェットプリンターの構成について説明する。
【００１４】
図１は、本実施の形態に係るインクジェットプリンター１０の外観斜視図である。
【００１５】
図１に示すように、インクジェットプリンター１０は、矢印１０ａで示す鉛直方向における下側から媒体９０を支持するプラテン１１と、プラテン１１に対して鉛直方向における上側に配置されていて鉛直方向に直交する矢印１０ｂで示す左右方向（以下「主走査方向」という。）に延在しているガイドレール１２と、ガイドレール１２によって主走査方向における移動がガイドされるキャリッジ１３と、プラテン１１に支持された媒体９０に向けてインクを吐出する複数のインクジェットヘッド１４と、プラテン１１に支持された媒体９０に付着したインクに向けて光を照射する複数の光照射装置１５とを備えている。
【００１６】
キャリッジ１３は、ガイドレール１２によってガイドされて後述のキャリッジ移動装置１７（図２参照。）によって、主走査方向のうち矢印１０ｃで示す一方の方向（以下「往路方向」という。）と、主走査方向のうち矢印１０ｄで示す他方の方向（以下「復路方向」という。）とに移動させられる。
【００１７】
インクジェットヘッド１４および光照射装置１５は、キャリッジ１３に搭載されている。
【００１８】
インクジェットヘッド１４によって吐出されるインクは、光照射装置１５によって光が照射されることによって硬化するインクであり、例えば、ＵＶインクである。
【００１９】
光照射装置１５は、例えば、ＬＥＤ（Ｌｉｇｈｔ  Ｅｍｉｔｔｉｎｇ  Ｄｉｏｄｅ）によって紫外線を照射する装置である。
【００２０】
図２は、インクジェットプリンター１０のブロック図である。
【００２１】
図２に示すように、インクジェットプリンター１０は、複数のインクジェットヘッド１４と、複数の光照射装置１５と、鉛直方向および主走査方向の両方に直交する矢印１０ｅ（図１参照。）で示す前後方向（以下「副走査方向」という。）に媒体９０（図１参照。）を搬送する媒体搬送装置１６と、ガイドレール１２（図１参照。）に沿って主走査方向にプラテン１１（図１参照。）に対してキャリッジ１３（図１参照。）を移動させるキャリッジ移動装置１７と、種々の操作が入力される例えばボタンなどの入力デバイスである操作部１８と、種々の情報を表示するＬＣＤ（Ｌｉｑｕｉｄ  Ｃｒｙｓｔａｌ  Ｄｉｓｐｌａｙ）などの表示デバイスである表示部１９と、ネットワーク経由で、または、ネットワークを介さずに有線または無線によって直接に、外部の装置と通信を行う通信デバイスである通信部２０と、各種の情報を記憶する半導体メモリー、ＨＤＤ（Ｈａｒｄ  Ｄｉｓｋ  Ｄｒｉｖｅ）などの不揮発性の記憶デバイスである記憶部２１と、インクジェットプリンター１０全体を制御する制御部２２とを備えている。
【００２２】
制御部２２は、例えば、ＣＰＵ（Ｃｅｎｔｒａｌ  Ｐｒｏｃｅｓｓｉｎｇ  Ｕｎｉｔ）と、プログラムおよび各種のデータを記憶しているＲＯＭ（Ｒｅａｄ  Ｏｎｌｙ  Ｍｅｍｏｒｙ）と、ＣＰＵの作業領域として用いられるＲＡＭ（Ｒａｎｄｏｍ  Ａｃｃｅｓｓ  Ｍｅｍｏｒｙ）とを備えている。ＣＰＵは、ＲＯＭまたは記憶部２１に記憶されているプログラムを実行する。
【００２３】
図３は、インクジェットヘッド１４および光照射装置１５の一例を示すためのキャリッジ１３の底面図である。
【００２４】
図３に示す例では、キャリッジ１３には、インクジェットヘッド１４として、インクジェットヘッド３１および３２が搭載されている。また、キャリッジ１３には、光照射装置１５として、光照射装置３３〜３７が搭載されている。
【００２５】
インクジェットヘッド３１および３２は、スタガ配置されている。すなわち、インクジェットヘッド３１と、インクジェットヘッド３２とは、主走査方向における位置が互いに異なるとともに、副走査方向にける位置も互いに異なる。
【００２６】
インクジェットヘッド３１は、インクを吐出するノズルが副走査方向に多数並べられたノズル列３１ａ〜３１ｄを備えている。ノズル列３１ａ〜３１ｄは、主走査方向に並べられている。例えば、ノズル列３１ａ、３１ｂ、３１ｃ、３１ｄのノズルは、それぞれ、イエローインク、シアンインク、マゼンタインク、ブラックインクを吐出する。
【００２７】
インクジェットヘッド３２は、インクを吐出するノズルが副走査方向に多数並べられたノズル列３２ａ〜３２ｄを備えている。ノズル列３２ａ〜３２ｄは、主走査方向に並べられている。例えば、ノズル列３２ａおよび３２ｂのノズルは、クリアーインクを吐出し、ノズル列３２ｃおよび３２ｄのノズルは、ホワイトインクを吐出する。
【００２８】
光照射装置３３および光照射装置３４と、インクジェットヘッド３１とは、副走査方向における位置が同一である。光照射装置３３は、インクジェットヘッド３１に対して往路方向に配置されていて、光照射装置３４は、インクジェットヘッド３１に対して復路方向に配置されている。光照射装置３３と、インクジェットヘッド３１との主走査方向における距離３０ａは、光照射装置３４と、インクジェットヘッド３１との主走査方向における距離３０ｂより短い。光照射装置３３によって照射される光の強さは、光照射装置３４によって照射される光の強さより弱い。
【００２９】
光照射装置３５および光照射装置３６と、インクジェットヘッド３２とは、副走査方向における位置が同一である。光照射装置３５は、インクジェットヘッド３２に対して往路方向に配置されていて、光照射装置３６は、インクジェットヘッド３２に対して復路方向に配置されている。光照射装置３５と、インクジェットヘッド３２との主走査方向における距離３０ｃは、光照射装置３６と、インクジェットヘッド３２との主走査方向における距離３０ｄより長い。光照射装置３５によって照射される光の強さは、光照射装置３６によって照射される光の強さより強い。
【００３０】
距離３０ａと、距離３０ｄとは、同じ長さである。光照射装置３３によって照射される光の強さは、光照射装置３６によって照射される光の強さと同一である。
【００３１】
距離３０ｂと、距離３０ｄとは、同じ長さである。光照射装置３４によって照射される光の強さは、光照射装置３５によって照射される光の強さと同一である。
【００３２】
光照射装置３７は、インクジェットヘッド１４によって吐出されて媒体９０に付着したインクのドットを完全に硬化させる強さの光を照射可能である。
【００３３】
次に、インクジェットプリンター１０の動作について説明する。
【００３４】
通信部２０を介して印刷データを受信すると、制御部２２は、通信部２０を介して受信した印刷データに基づいて、媒体９０に対して印刷を実行する。すなわち、制御部２２は、キャリッジ移動装置１７によって主走査方向にキャリッジ１３を移動させてインクジェットヘッド１４によって媒体９０に向けてインクを吐出し、媒体９０に付着したインクに向けて光照射装置１５によって光を照射することによって、主走査方向における媒体９０に対する印刷を実行する。また、制御部２２は、主走査方向における媒体９０に対する印刷を実行すると、必要に応じて、媒体搬送装置１６によって副走査方向に媒体９０を搬送することによって、副走査方向における媒体９０に対する印刷の位置を変更した後、再び主走査方向における媒体９０に対する印刷を実行する。
【００３５】
キャリッジ１３がキャリッジ移動装置１７によって主走査方向に移動させられる場合にインクジェットヘッド１４によってインクが吐出されるとき、このインクジェットヘッド１４によって吐出されて媒体９０に付着したインクには、このインクジェットヘッド１４に対してキャリッジ１３の移動方向の上流側に配置されている光照射装置１５によって光が照射させられる。すなわち、キャリッジ１３がキャリッジ移動装置１７によって往路方向に移動させられている場合にインクジェットヘッド３１によってインクが吐出されるとき、インクジェットヘッド３１によって吐出されて媒体９０に付着したインクには、光照射装置３４によって光が照射させられる。キャリッジ１３がキャリッジ移動装置１７によって往路方向に移動させられている場合にインクジェットヘッド３２によってインクが吐出されるとき、インクジェットヘッド３２によって吐出されて媒体９０に付着したインクには、光照射装置３６によって光が照射させられる。キャリッジ１３がキャリッジ移動装置１７によって復路方向に移動させられている場合にインクジェットヘッド３１によってインクが吐出されるとき、インクジェットヘッド３１によって吐出されて媒体９０に付着したインクには、光照射装置３３によって光が照射させられる。キャリッジ１３がキャリッジ移動装置１７によって復路方向に移動させられている場合にインクジェットヘッド３２によってインクが吐出されるとき、インクジェットヘッド３２によって吐出されて媒体９０に付着したインクには、光照射装置３５によって光が照射させられる。
【００３６】
インクジェットヘッドによって吐出されて媒体９０に付着したインクのドットは、光照射装置によって光が照射されるまで、時間の経過に応じて媒体９０上で広がり続ける。そして、媒体９０上のインクのドットは、光照射装置によって光が照射されると、照射された光の強さに応じて広がる速さが異なる。すなわち、媒体９０上のインクのドットは、光照射装置によって照射された光が強いほど、広がる速さが遅くなる。
【００３７】
例えば、キャリッジ１３がキャリッジ移動装置１７によって往路方向に移動させられている場合にインクジェットヘッド３１によって吐出されて媒体９０に付着したインクのドットは、距離３０ｂが長いので、光照射装置３４によって光が照射させられるまでに広がるが、光照射装置３４によって強い光が照射させられるので、完全に硬化して広がらなくなる。
【００３８】
また、キャリッジ１３がキャリッジ移動装置１７によって往路方向に移動させられている場合にインクジェットヘッド３２によって吐出されて媒体９０に付着したインクのドットは、距離３０ｄが短いので、光照射装置３４によって光が照射させられるまでにあまり広がらないが、光照射装置３６によって弱い光が照射させられるので、完全に硬化することはなく、光照射装置３６によって光が照射させられた後も、少しずつ広がる。そして、このインクのドットは、媒体９０が媒体搬送装置１６によって副走査方向に移動させられた後、光照射装置３７によって光が照射させられることによって、完全に硬化して広がらなくなる。
【００３９】
また、キャリッジ１３がキャリッジ移動装置１７によって復路方向に移動させられている場合にインクジェットヘッド３１によって吐出されて媒体９０に付着したインクのドットは、距離３０ａが短いので、光照射装置３３によって光が照射させられるまでにあまり広がらないが、光照射装置３３によって弱い光が照射させられるので、完全に硬化することはなく、光照射装置３３によって光が照射させられた後も、少しずつ広がる。そして、このインクのドットは、媒体９０が媒体搬送装置１６によって副走査方向に移動させられた後、光照射装置３７によって光が照射させられることによって、完全に硬化して広がらなくなる。
【００４０】
また、キャリッジ１３がキャリッジ移動装置１７によって復路方向に移動させられている場合にインクジェットヘッド３２によって吐出されて媒体９０に付着したインクのドットは、距離３０ｃが長いので、光照射装置３５によって光が照射させられるまでに広がるが、光照射装置３５によって強い光が照射させられるので、完全に硬化して広がらなくなる。
【００４１】
インクジェットヘッド３１および３２によってインクが吐出される場合にキャリッジ１３がキャリッジ移動装置１７によって往路方向に移動させられる速度と、光照射装置３４および光照射装置３６によって照射される光の強さとは、キャリッジ１３がキャリッジ移動装置１７によって往路方向に移動させられている場合にインクジェットヘッド３１によって吐出されて媒体９０に付着したインクのドットの完全な硬化後の大きさと、キャリッジ１３がキャリッジ移動装置１７によって往路方向に移動させられている場合にインクジェットヘッド３２によって吐出されて媒体９０に付着したインクのドットの完全な硬化後の大きさとが略同一になるように調整されている。なお、本発明において、２つのドットの大きさが略同一であるということは、０より大きい下限値以上であって、この下限値より大きい上限値以下である特定の範囲内に２つのドットの大きさが共に収まるということである。
【００４２】
同様に、インクジェットヘッド３１および３２によってインクが吐出される場合にキャリッジ１３がキャリッジ移動装置１７によって復路方向に移動させられる速度と、光照射装置３３および光照射装置３５によって照射される光の強さとは、キャリッジ１３がキャリッジ移動装置１７によって復路方向に移動させられている場合にインクジェットヘッド３１によって吐出されて媒体９０に付着したインクのドットの完全な硬化後の大きさと、キャリッジ１３がキャリッジ移動装置１７によって復路方向に移動させられている場合にインクジェットヘッド３２によって吐出されて媒体９０に付着したインクのドットの完全な硬化後の大きさとが略同一になるように調整されている。
【００４３】
インクジェットヘッド３１によってインクが吐出される場合にキャリッジ１３がキャリッジ移動装置１７によって往路方向に移動させられる速度と、インクジェットヘッド３１によってインクが吐出される場合にキャリッジ１３がキャリッジ移動装置１７によって復路方向に移動させられる速度と、光照射装置３３および光照射装置３４によって照射される光の強さとは、キャリッジ１３がキャリッジ移動装置１７によって往路方向に移動させられている場合にインクジェットヘッド３１によって吐出されて媒体９０に付着したインクのドットの完全な硬化後の大きさと、キャリッジ１３がキャリッジ移動装置１７によって復路方向に移動させられている場合にインクジェットヘッド３１によって吐出されて媒体９０に付着したインクのドットの完全な硬化後の大きさとが略同一になるように調整されている。
【００４４】
同様に、インクジェットヘッド３２によってインクが吐出される場合にキャリッジ１３がキャリッジ移動装置１７によって往路方向に移動させられる速度と、インクジェットヘッド３２によってインクが吐出される場合にキャリッジ１３がキャリッジ移動装置１７によって復路方向に移動させられる速度と、光照射装置３５および光照射装置３６によって照射される光の強さとは、キャリッジ１３がキャリッジ移動装置１７によって往路方向に移動させられている場合にインクジェットヘッド３２によって吐出されて媒体９０に付着したインクのドットの完全な硬化後の大きさと、キャリッジ１３がキャリッジ移動装置１７によって復路方向に移動させられている場合にインクジェットヘッド３２によって吐出されて媒体９０に付着したインクのドットの完全な硬化後の大きさとが略同一になるように調整されている。
【００４５】
以上に説明したように、インクジェットプリンター１０は、主走査方向においてインクジェットヘッド３１を挟む位置に配置される光照射装置３３および３４のそれぞれによって照射される光の強さが、媒体９０に付着したインクのドットの完全な硬化後の大きさが特定の範囲内に収まる強さであり、光照射装置３３および３４のうち、インクジェットヘッド３１との主走査方向における距離が長い方、すなわち、光照射装置３４によって照射される光の強さが、インクジェットヘッド３１との主走査方向における距離が短い方、すなわち、光照射装置３３によって照射される光の強さより強いので、光照射装置３３および３４のいずれによって照射された光によって硬化させられたかにかかわらず、インクジェットヘッド３１によって吐出されて媒体９０に付着したインクのドットの完全な硬化後の大きさを特定の範囲内に略同一の大きさで収めることができる。すなわち、インクジェットプリンター１０は、主走査方向においてインクジェットヘッド３１を挟む位置に配置されていて、インクジェットヘッド３１との距離３０ａおよび３０ｂが互いに異なる光照射装置３３および３４の一方である光照射装置３４を使用して往路方向へ印刷を実行する場合と、光照射装置３３および３４の他方である光照射装置３３を使用して復路方向へ印刷を実行する場合とで、インクジェットヘッド３１によって吐出されて媒体９０に付着したインクのドットの完全な硬化後の大きさを特定の範囲内に略同一の大きさで収めることができる。
【００４６】
また、インクジェットプリンター１０は、主走査方向においてインクジェットヘッド３２を挟む位置に配置される光照射装置３５および３６のそれぞれによって照射される光の強さが、媒体９０に付着したインクのドットの完全な硬化後の大きさが特定の範囲内に収まる強さであり、光照射装置３５および３６のうち、インクジェットヘッド３２との主走査方向における距離が長い方、すなわち、光照射装置３５によって照射される光の強さが、インクジェットヘッド３２との主走査方向における距離が短い方、すなわち、光照射装置３６によって照射される光の強さより強いので、光照射装置３５および３６のいずれによって照射された光によって硬化させられたかにかかわらず、インクジェットヘッド３２によって吐出されて媒体９０に付着したインクのドットの完全な硬化後の大きさを特定の範囲内に略同一の大きさで収めることができる。すなわち、インクジェットプリンター１０は、主走査方向においてインクジェットヘッド３２を挟む位置に配置されていて、インクジェットヘッド３２との距離３０ｃおよび３０ｄが互いに異なる光照射装置３５および３６の一方である光照射装置３６を使用して往路方向へ印刷を実行する場合と、光照射装置３５および３６の他方である光照射装置３５を使用して復路方向へ印刷を実行する場合とで、インクジェットヘッド３２によって吐出されて媒体９０に付着したインクのドットの完全な硬化後の大きさを特定の範囲内に略同一の大きさで収めることができる。
【００４７】
したがって、インクジェットプリンター１０は、主走査方向において同一のインクジェットヘッド１４を挟む位置に配置されていて、このインクジェットヘッド１４との距離３０ａ〜３０ｄが互いに異なる２つの光照射装置１５の一方を使用して往路方向へ印刷を実行する場合と、これら２つの光照射装置１５の他方を使用して復路方向へ印刷を実行する場合とで、媒体９０に付着したインクのドットの完全な硬化後の大きさのばらつきを低減することができる。
【００４８】
光照射装置３４と、インクジェットヘッド３１との主走査方向における距離３０ｂが、光照射装置３６と、インクジェットヘッド３２との主走査方向における距離３０ｄより長いので、光照射装置３４によって照射される光の強さは、光照射装置３６によって照射される光の強さより強い。そのため、インクジェットプリンター１０は、副走査方向における位置が互いに異なり、インクジェットヘッド３１、３２に対して主走査方向において同一の側に配置されている２つの光照射装置１５であって、光照射装置１５自身によって照射される光によって硬化させられるインクを吐出するインクジェットヘッド１４との距離３０ｂ、３０ｄが互いに異なる光照射装置３４、３６を使用して往路方向へ印刷を実行する場合に、光照射装置３４によって光が照射されたインクのドットの完全な硬化後の大きさと、光照射装置３６によって光が照射されたインクのドットの完全な硬化後の大きさとを特定の範囲内に略同一の大きさで収めることができる。
【００４９】
また、光照射装置３３と、インクジェットヘッド３１との主走査方向における距離３０ａが、光照射装置３５と、インクジェットヘッド３２との主走査方向における距離３０ｃより短いので、光照射装置３３によって照射される光の強さは、光照射装置３５によって照射される光の強さより弱い。そのため、インクジェットプリンター１０は、副走査方向における位置が互いに異なり、インクジェットヘッド３１、３２に対して主走査方向において同一の側に配置されている２つの光照射装置１５であって、光照射装置１５自身によって照射される光によって硬化させられるインクを吐出するインクジェットヘッド１４との距離３０ａ、３０ｃが互いに異なる光照射装置３３、３５を使用して復路方向へ印刷を実行する場合に、光照射装置３３によって光が照射されたインクのドットの完全な硬化後の大きさと、光照射装置３５によって光が照射されたインクのドットの完全な硬化後の大きさとを特定の範囲内に略同一の大きさで収めることができる。
【００５０】
したがって、インクジェットプリンター１０は、副走査方向における位置が互いに異なり、インクジェットヘッド１４に対して主走査方向において同一の側に配置されている２つの光照射装置１５であって、光照射装置１５自身によって照射される光によって硬化させられるインクを吐出するインクジェットヘッド１４との距離３０ａ〜３０ｄが互いに異なる２つの光照射装置１５を使用して主走査方向へ印刷を実行する場合に、媒体９０に付着したインクのドットの完全な硬化後の大きさのばらつきを低減することができる。
【００５１】
なお、距離３０ａと、距離３０ｄとは、本実施の形態において同一であるが、異なっていても良い。同様に、距離３０ｂと、距離３０ｃとは、本実施の形態において同一であるが、異なっていても良い。
【００５２】
キャリッジ１３がキャリッジ移動装置１７によって往路方向に移動させられている場合にインクジェットヘッド３２によって吐出されて媒体９０に付着したインクのドットは、本実施の形態において、光照射装置３６によって光が照射させられた後、光照射装置３７によって光が照射させられることによって、完全に硬化して広がらなくなる。しかしながら、制御部２２は、キャリッジ１３がキャリッジ移動装置１７によって往路方向に移動させられている場合にインクジェットヘッド３２によって吐出されて媒体９０に付着したインクのドットに対して、光照射装置３６によって光を照射した後、キャリッジ１３をキャリッジ移動装置１７によって復路方向に移動させて光照射装置３５によって光を照射するか、媒体９０を媒体搬送装置１６によって副走査方向に移動させてから光照射装置３４によって光を照射することによって、このドットを完全に硬化させても良い。
【００５３】
同様に、キャリッジ１３がキャリッジ移動装置１７によって復路方向に移動させられている場合にインクジェットヘッド３１によって吐出されて媒体９０に付着したインクのドットは、本実施の形態において、光照射装置３３によって光が照射させられた後、光照射装置３７によって光が照射させられることによって、完全に硬化して広がらなくなる。しかしながら、制御部２２は、キャリッジ１３がキャリッジ移動装置１７によって復路方向に移動させられている場合にインクジェットヘッド３１によって吐出されて媒体９０に付着したインクのドットに対して、光照射装置３３によって光を照射した後、キャリッジ１３をキャリッジ移動装置１７によって往路方向に移動させて光照射装置３４によって光を照射するか、媒体９０を媒体搬送装置１６によって副走査方向に移動させてから光照射装置３５によって光を照射することによって、このドットを完全に硬化させても良い。
【００５４】
キャリッジ１３がキャリッジ移動装置１７によって往路方向に移動させられている場合にインクジェットヘッド３１によって吐出されて媒体９０に付着したインクのドットは、本実施の形態において、光照射装置３４によって光が照射させられることによって、完全に硬化して広がらなくなる。しかしながら、光照射装置３４によって照射される光は、キャリッジ１３がキャリッジ移動装置１７によって往路方向に移動させられている場合にインクジェットヘッド３１によって吐出されて媒体９０に付着したインクのドットを完全に硬化させるものでなくても良い。すなわち、キャリッジ１３がキャリッジ移動装置１７によって往路方向に移動させられている場合にインクジェットヘッド３１によって吐出されて媒体９０に付着したインクのドットは、光照射装置３４によって光が照射させられた後も、完全に硬化することはなく少しずつ広がって、例えば光照射装置３７によって光が照射させられることによって、完全に硬化して広がらなくなってもよい。
【００５５】
同様に、キャリッジ１３がキャリッジ移動装置１７によって復路方向に移動させられている場合にインクジェットヘッド３２によって吐出されて媒体９０に付着したインクのドットは、本実施の形態において、光照射装置３５によって光が照射させられることによって、完全に硬化して広がらなくなる。しかしながら、光照射装置３５によって照射される光は、キャリッジ１３がキャリッジ移動装置１７によって復路方向に移動させられている場合にインクジェットヘッド３２によって吐出されて媒体９０に付着したインクのドットを完全に硬化させるものでなくても良い。すなわち、キャリッジ１３がキャリッジ移動装置１７によって復路方向に移動させられている場合にインクジェットヘッド３２によって吐出されて媒体９０に付着したインクのドットは、光照射装置３５によって光が照射させられた後も、完全に硬化することはなく少しずつ広がって、例えば光照射装置３７によって光が照射させられることによって、完全に硬化して広がらなくなってもよい。
【００５６】
インクジェットプリンター１０は、本実施の形態において、複数のインクジェットヘッド１４がスタガ配置されている。しかしながら、インクジェットプリンター１０は、例えば図４および図５に示すように、複数のインクジェットヘッド１４がスタガ配置されていなくても良い。
【００５７】
図４は、インクジェットヘッド１４および光照射装置１５の、図３に示す例とは異なる一例を示すためのキャリッジ１３の底面図である。
【００５８】
図４に示す例では、キャリッジ１３には、インクジェットヘッド１４として、インクジェットヘッド４１および４２が搭載されている。また、キャリッジ１３には、光照射装置１５として、光照射装置４３〜４７が搭載されている。
【００５９】
インクジェットヘッド４１と、インクジェットヘッド４２とは、主走査方向における位置が互いに異なるが、副走査方向における位置は同一である。
【００６０】
インクジェットヘッド４１は、インクを吐出するノズルが副走査方向に多数並べられた複数のノズル列を備えている。インクジェットヘッド４１における複数のノズル列は、主走査方向に並べられている。
【００６１】
インクジェットヘッド４２は、インクを吐出するノズルが副走査方向に多数並べられた複数のノズル列を備えている。インクジェットヘッド４２における複数のノズル列は、主走査方向に並べられている。
【００６２】
インクジェットヘッド４１は、複数のノズル列のノズルのうち、副走査方向における一端側の半分の範囲４１ａのノズルのみが使用される。インクジェットヘッド４２は、複数のノズル列のノズルのうち、副走査方向における他端側の半分の範囲４２ａのノズルのみが使用される。範囲４１ａと、範囲４２ａとは、主走査方向における位置が互いに異なるとともに、副走査方向における位置も互いに異なる。
【００６３】
光照射装置４３および光照射装置４４と、インクジェットヘッド４１の範囲４１ａとは、副走査方向における位置が同一である。光照射装置４３は、インクジェットヘッド４１に対して往路方向に配置されていて、光照射装置４４は、インクジェットヘッド４１に対して復路方向に配置されている。光照射装置４３と、インクジェットヘッド４１との主走査方向における距離４０ａは、光照射装置４４と、インクジェットヘッド４１との主走査方向における距離４０ｂより短い。光照射装置４３によって照射される光の強さは、光照射装置４４によって照射される光の強さより弱い。
【００６４】
光照射装置４５および光照射装置４６と、インクジェットヘッド４２の範囲４２ａとは、副走査方向における位置が同一である。光照射装置４５は、インクジェットヘッド４２に対して往路方向に配置されていて、光照射装置４６は、インクジェットヘッド４２に対して復路方向に配置されている。光照射装置４５と、インクジェットヘッド４２との主走査方向における距離４０ｃは、光照射装置４６と、インクジェットヘッド４２との主走査方向における距離４０ｄより長い。光照射装置４５によって照射される光の強さは、光照射装置４６によって照射される光の強さより強い。
【００６５】
距離４０ａと、距離４０ｄとは、同じ長さである。光照射装置４３によって照射される光の強さは、光照射装置４６によって照射される光の強さと同一である。
【００６６】
距離４０ｂと、距離４０ｃとは、同じ長さである。光照射装置４４によって照射される光の強さは、光照射装置４５によって照射される光の強さと同一である。
【００６７】
光照射装置４７は、インクジェットヘッド１４によって吐出されて媒体９０に付着したインクのドットを完全に硬化させる強さの光を照射可能である。光照射装置４７は、光照射装置３７（図３参照。）と同様の役割の装置である。
【００６８】
図４に示す例は、インクジェットヘッド３１（図３参照。）の代わりにインクジェットヘッド４１の範囲４１ａでインクが吐出され、インクジェットヘッド３２（図３参照。）の代わりにインクジェットヘッド４２の範囲４２ａでインクが吐出されることを除いて、図３に示す例と同様に動作する。
【００６９】
図５は、インクジェットヘッド１４および光照射装置１５の、図３および図４に示す例とは異なる一例を示すためのキャリッジ１３の底面図である。
【００７０】
図５に示す例では、キャリッジ１３には、インクジェットヘッド１４として、インクジェットヘッド５１および５２が搭載されている。また、キャリッジ１３には、光照射装置１５として、光照射装置５３〜５７が搭載されている。
【００７１】
インクジェットヘッド５１と、インクジェットヘッド５２とは、副走査方向における位置が互いに異なるが、主走査方向における位置は同一である。
【００７２】
インクジェットヘッド５１および５２は、それぞれ、インクを吐出するノズルが副走査方向に多数並べられた複数のノズル列を備えている。インクジェットヘッド５１および５２のそれぞれにおける複数のノズル列は、主走査方向に並べられている。
【００７３】
光照射装置５３および光照射装置５４と、インクジェットヘッド５１とは、副走査方向における位置が同一である。光照射装置５３は、インクジェットヘッド５１に対して往路方向に配置されていて、光照射装置５４は、インクジェットヘッド５１に対して復路方向に配置されている。光照射装置５３と、インクジェットヘッド５１との主走査方向における距離５０ａは、光照射装置５４と、インクジェットヘッド５１との主走査方向における距離５０ｂより短い。光照射装置５３によって照射される光の強さは、光照射装置５４によって照射される光の強さより弱い。
【００７４】
光照射装置５５および光照射装置５６と、インクジェットヘッド５２とは、副走査方向における位置が同一である。光照射装置５５は、インクジェットヘッド５２に対して往路方向に配置されていて、光照射装置５６は、インクジェットヘッド５２に対して復路方向に配置されている。光照射装置５５と、インクジェットヘッド５２との主走査方向における距離５０ｃは、光照射装置５６と、インクジェットヘッド５２との主走査方向における距離５０ｄより短い。光照射装置５５によって照射される光の強さは、光照射装置５６によって照射される光の強さより弱い。
【００７５】
距離５０ａと、距離５０ｃとは、同じ長さである。光照射装置５３によって照射される光の強さは、光照射装置５５によって照射される光の強さと同一である。
【００７６】
距離５０ｂは、距離５０ｄより短い。光照射装置５４によって照射される光の強さは、光照射装置５６によって照射される光の強さより弱い。
【００７７】
光照射装置５７は、インクジェットヘッド１４によって吐出されて媒体９０に付着したインクのドットを完全に硬化させる強さの光を照射可能である。光照射装置５７は、光照射装置３７（図３参照。）と同様の役割の装置である。
【００７８】
キャリッジ１３がキャリッジ移動装置１７によって主走査方向に移動させられる場合にインクジェットヘッド１４によってインクが吐出されるとき、このインクジェットヘッド１４によって吐出されて媒体９０に付着したインクには、このインクジェットヘッド１４に対してキャリッジ１３の移動方向の上流側に配置されている光照射装置１５によって光が照射させられる。
【００７９】
インクジェットヘッド５１および５２によってインクが吐出される場合にキャリッジ１３がキャリッジ移動装置１７によって往路方向に移動させられる速度と、光照射装置５４および光照射装置５６によって照射される光の強さとは、キャリッジ１３がキャリッジ移動装置１７によって往路方向に移動させられている場合にインクジェットヘッド５１によって吐出されて媒体９０に付着したインクのドットの完全な硬化後の大きさと、キャリッジ１３がキャリッジ移動装置１７によって往路方向に移動させられている場合にインクジェットヘッド５２によって吐出されて媒体９０に付着したインクのドットの完全な硬化後の大きさとが略同一になるように調整されている。
【００８０】
同様に、インクジェットヘッド５１および５２によってインクが吐出される場合にキャリッジ１３がキャリッジ移動装置１７によって復路方向に移動させられる速度と、光照射装置５３および光照射装置５５によって照射される光の強さとは、キャリッジ１３がキャリッジ移動装置１７によって復路方向に移動させられている場合にインクジェットヘッド５１によって吐出されて媒体９０に付着したインクのドットの完全な硬化後の大きさと、キャリッジ１３がキャリッジ移動装置１７によって復路方向に移動させられている場合にインクジェットヘッド５２によって吐出されて媒体９０に付着したインクのドットの完全な硬化後の大きさとが略同一になるように調整されている。
【００８１】
インクジェットヘッド５１によってインクが吐出される場合にキャリッジ１３がキャリッジ移動装置１７によって往路方向に移動させられる速度と、インクジェットヘッド５１によってインクが吐出される場合にキャリッジ１３がキャリッジ移動装置１７によって復路方向に移動させられる速度と、光照射装置５３および光照射装置５４によって照射される光の強さとは、キャリッジ１３がキャリッジ移動装置１７によって往路方向に移動させられている場合にインクジェットヘッド５１によって吐出されて媒体９０に付着したインクのドットの完全な硬化後の大きさと、キャリッジ１３がキャリッジ移動装置１７によって復路方向に移動させられている場合にインクジェットヘッド５１によって吐出されて媒体９０に付着したインクのドットの完全な硬化後の大きさとが略同一になるように調整されている。
【００８２】
同様に、インクジェットヘッド５２によってインクが吐出される場合にキャリッジ１３がキャリッジ移動装置１７によって往路方向に移動させられる速度と、インクジェットヘッド５２によってインクが吐出される場合にキャリッジ１３がキャリッジ移動装置１７によって復路方向に移動させられる速度と、光照射装置５５および光照射装置５６によって照射される光の強さとは、キャリッジ１３がキャリッジ移動装置１７によって往路方向に移動させられている場合にインクジェットヘッド５２によって吐出されて媒体９０に付着したインクのドットの完全な硬化後の大きさと、キャリッジ１３がキャリッジ移動装置１７によって復路方向に移動させられている場合にインクジェットヘッド５２によって吐出されて媒体９０に付着したインクのドットの完全な硬化後の大きさとが略同一になるように調整されている。
【００８３】
インクジェットプリンター１０は、本実施の形態において、インクジェットヘッド１４を２つ備えている。しかしながら、インクジェットプリンター１０は、インクジェットヘッド１４を、２つ以外の数、備えていても良い。例えば、インクジェットプリンター１０は、図６に示すように、インクジェットヘッド１４を１つのみ備えていても良いし、図７に示すように、インクジェットヘッド１４を４つ備えていても良い。
【００８４】
図６は、インクジェットヘッド１４および光照射装置１５の、図３〜図５に示す例とは異なる一例を示すためのキャリッジ１３の底面図である。
【００８５】
図６に示す例では、キャリッジ１３には、インクジェットヘッド１４として、インクジェットヘッド６１が搭載されている。また、キャリッジ１３には、光照射装置１５として、光照射装置６２〜６４が搭載されている。
【００８６】
インクジェットヘッド６１は、インクを吐出するノズルが副走査方向に多数並べられた複数のノズル列を備えている。複数のノズル列は、主走査方向に並べられている。
【００８７】
光照射装置６２および光照射装置６３と、インクジェットヘッド６１とは、副走査方向における位置が同一である。光照射装置６２は、インクジェットヘッド６１に対して往路方向に配置されていて、光照射装置６３は、インクジェットヘッド６１に対して復路方向に配置されている。光照射装置６２と、インクジェットヘッド６１との主走査方向における距離６０ａは、光照射装置６３と、インクジェットヘッド６１との主走査方向における距離６０ｂより短い。光照射装置６２によって照射される光の強さは、光照射装置６３によって照射される光の強さより弱い。
【００８８】
光照射装置６４は、インクジェットヘッド１４によって吐出されて媒体９０に付着したインクのドットを完全に硬化させる強さの光を照射可能である。光照射装置６４は、光照射装置３７（図３参照。）と同様の役割の装置である。
【００８９】
キャリッジ１３がキャリッジ移動装置１７によって往路方向に移動させられている場合にインクジェットヘッド６１によってインクが吐出されるとき、インクジェットヘッド６１によって吐出されて媒体９０に付着したインクには、光照射装置６３によって光が照射させられる。キャリッジ１３がキャリッジ移動装置１７によって復路方向に移動させられている場合にインクジェットヘッド６１によってインクが吐出されるとき、インクジェットヘッド６１によって吐出されて媒体９０に付着したインクには、光照射装置６２によって光が照射させられる。
【００９０】
インクジェットヘッド６１によってインクが吐出される場合にキャリッジ１３がキャリッジ移動装置１７によって往路方向に移動させられる速度と、インクジェットヘッド６１によってインクが吐出される場合にキャリッジ１３がキャリッジ移動装置１７によって復路方向に移動させられる速度と、光照射装置６２および光照射装置６３によって照射される光の強さとは、キャリッジ１３がキャリッジ移動装置１７によって往路方向に移動させられている場合にインクジェットヘッド３１によって吐出されて媒体９０に付着したインクのドットの完全な硬化後の大きさと、キャリッジ１３がキャリッジ移動装置１７によって復路方向に移動させられている場合にインクジェットヘッド３１によって吐出されて媒体９０に付着したインクのドットの完全な硬化後の大きさとが略同一になるように調整されている。
【００９１】
図７は、インクジェットヘッド１４および光照射装置１５の、図３〜図６に示す例とは異なる一例を示すためのキャリッジ１３の底面図である。
【００９２】
図７に示す例では、キャリッジ１３には、インクジェットヘッド１４として、インクジェットヘッド７１〜７４が搭載されている。また、キャリッジ１３には、光照射装置１５として、光照射装置８１〜８９が搭載されている。
【００９３】
インクジェットヘッド７１〜７４は、スタガ配置されている。すなわち、インクジェットヘッド７１〜７４は、主走査方向における位置が互いに異なるとともに、副走査方向における位置も互いに異なる。
【００９４】
インクジェットヘッド７１〜７４は、それぞれ、インクを吐出するノズルが副走査方向に多数並べられた複数のノズル列を備えている。インクジェットヘッド７１〜７４のそれぞれにおいて、複数のノズル列は、主走査方向に並べられている。
【００９５】
光照射装置８１および光照射装置８２と、インクジェットヘッド７１とは、副走査方向における位置が同一である。光照射装置８１は、インクジェットヘッド７１に対して往路方向に配置されていて、光照射装置８２は、インクジェットヘッド７１に対して復路方向に配置されている。光照射装置８１と、インクジェットヘッド７１との主走査方向における距離７０ａは、光照射装置８２と、インクジェットヘッド７１との主走査方向における距離７０ｂより短い。光照射装置８１によって照射される光の強さは、光照射装置８２によって照射される光の強さより弱い。
【００９６】
光照射装置８３および光照射装置８４と、インクジェットヘッド７２とは、副走査方向における位置が同一である。光照射装置８３は、インクジェットヘッド７２に対して往路方向に配置されていて、光照射装置８４は、インクジェットヘッド７２に対して復路方向に配置されている。光照射装置８３と、インクジェットヘッド７２との主走査方向における距離７０ｃは、光照射装置８４と、インクジェットヘッド７２との主走査方向における距離７０ｄより短い。光照射装置８３によって照射される光の強さは、光照射装置８４によって照射される光の強さより弱い。
【００９７】
光照射装置８５および光照射装置８６と、インクジェットヘッド７３とは、副走査方向における位置が同一である。光照射装置８５は、インクジェットヘッド７３に対して往路方向に配置されていて、光照射装置８６は、インクジェットヘッド７３に対して復路方向に配置されている。光照射装置８５と、インクジェットヘッド７３との主走査方向における距離７０ｅは、光照射装置８６と、インクジェットヘッド７３との主走査方向における距離７０ｆより長い。光照射装置８５によって照射される光の強さは、光照射装置８６によって照射される光の強さより強い。
【００９８】
光照射装置８７および光照射装置８８と、インクジェットヘッド７４とは、副走査方向における位置が同一である。光照射装置８７は、インクジェットヘッド７４に対して往路方向に配置されていて、光照射装置８８は、インクジェットヘッド７４に対して復路方向に配置されている。光照射装置８７と、インクジェットヘッド７４との主走査方向における距離７０ｇは、光照射装置８８と、インクジェットヘッド７４との主走査方向における距離７０ｈより長い。光照射装置８７によって照射される光の強さは、光照射装置８８によって照射される光の強さより強い。
【００９９】
距離７０ａ、距離７０ｃ、距離７０ｅ、距離７０ｇは、この順番で、長くなっている。光照射装置８１によって照射される光の強さ、光照射装置８３によって照射される光の強さ、光照射装置８５によって照射される光の強さ、光照射装置８７によって照射される光の強さは、この順番で、強くなっている。
【０１００】
距離７０ａと、距離７０ｈとは、同じ長さである。光照射装置８１によって照射される光の強さは、光照射装置８８によって照射される光の強さと同一である。
【０１０１】
距離７０ｃと、距離７０ｆとは、同じ長さである。光照射装置８３によって照射される光の強さは、光照射装置８６によって照射される光の強さと同一である。
【０１０２】
距離７０ｅと、距離７０ｄとは、同じ長さである。光照射装置８５によって照射される光の強さは、光照射装置８４によって照射される光の強さと同一である。
【０１０３】
距離７０ｇと、距離７０ｂとは、同じ長さである。光照射装置８７によって照射される光の強さは、光照射装置８２によって照射される光の強さと同一である。
【０１０４】
光照射装置８９は、インクジェットヘッド１４によって吐出されて媒体９０に付着したインクのドットを完全に硬化させる強さの光を照射可能である。光照射装置８９は、光照射装置３７（図３参照。）と同様の役割の装置である。
【０１０５】
キャリッジ１３がキャリッジ移動装置１７によって主走査方向に移動させられる場合にインクジェットヘッド１４によってインクが吐出されるとき、このインクジェットヘッド１４によって吐出されて媒体９０に付着したインクには、このインクジェットヘッド１４に対してキャリッジ１３の移動方向の上流側に配置されている光照射装置１５によって光が照射させられる。
【０１０６】
インクジェットヘッド７１〜７４によってインクが吐出される場合にキャリッジ１３がキャリッジ移動装置１７によって往路方向に移動させられる速度と、光照射装置８２、光照射装置８４、光照射装置８６および光照射装置８８によって照射される光の強さとは、キャリッジ１３がキャリッジ移動装置１７によって往路方向に移動させられている場合にインクジェットヘッド７１によって吐出されて媒体９０に付着したインクのドットの完全な硬化後の大きさと、キャリッジ１３がキャリッジ移動装置１７によって往路方向に移動させられている場合にインクジェットヘッド７２によって吐出されて媒体９０に付着したインクのドットの完全な硬化後の大きさと、キャリッジ１３がキャリッジ移動装置１７によって往路方向に移動させられている場合にインクジェットヘッド７３によって吐出されて媒体９０に付着したインクのドットの完全な硬化後の大きさと、キャリッジ１３がキャリッジ移動装置１７によって往路方向に移動させられている場合にインクジェットヘッド７４によって吐出されて媒体９０に付着したインクのドットの完全な硬化後の大きさとが略同一になるように調整されている。
【０１０７】
同様に、インクジェットヘッド７１〜７４によってインクが吐出される場合にキャリッジ１３がキャリッジ移動装置１７によって復路方向に移動させられる速度と、光照射装置８１、光照射装置８３、光照射装置８５および光照射装置８７によって照射される光の強さとは、キャリッジ１３がキャリッジ移動装置１７によって復路方向に移動させられている場合にインクジェットヘッド７１によって吐出されて媒体９０に付着したインクのドットの完全な硬化後の大きさと、キャリッジ１３がキャリッジ移動装置１７によって復路方向に移動させられている場合にインクジェットヘッド７２によって吐出されて媒体９０に付着したインクのドットの完全な硬化後の大きさと、キャリッジ１３がキャリッジ移動装置１７によって復路方向に移動させられている場合にインクジェットヘッド７３によって吐出されて媒体９０に付着したインクのドットの完全な硬化後の大きさと、キャリッジ１３がキャリッジ移動装置１７によって復路方向に移動させられている場合にインクジェットヘッド７４によって吐出されて媒体９０に付着したインクのドットの完全な硬化後の大きさとが略同一になるように調整されている。
【０１０８】
インクジェットヘッド７１によってインクが吐出される場合にキャリッジ１３がキャリッジ移動装置１７によって往路方向に移動させられる速度と、インクジェットヘッド７１によってインクが吐出される場合にキャリッジ１３がキャリッジ移動装置１７によって復路方向に移動させられる速度と、光照射装置８１および光照射装置８２によって照射される光の強さとは、キャリッジ１３がキャリッジ移動装置１７によって往路方向に移動させられている場合にインクジェットヘッド７１によって吐出されて媒体９０に付着したインクのドットの完全な硬化後の大きさと、キャリッジ１３がキャリッジ移動装置１７によって復路方向に移動させられている場合にインクジェットヘッド７１によって吐出されて媒体９０に付着したインクのドットの完全な硬化後の大きさとが略同一になるように調整されている。
【０１０９】
同様に、インクジェットヘッド７２によってインクが吐出される場合にキャリッジ１３がキャリッジ移動装置１７によって往路方向に移動させられる速度と、インクジェットヘッド７２によってインクが吐出される場合にキャリッジ１３がキャリッジ移動装置１７によって復路方向に移動させられる速度と、光照射装置８３および光照射装置８４によって照射される光の強さとは、キャリッジ１３がキャリッジ移動装置１７によって往路方向に移動させられている場合にインクジェットヘッド７２によって吐出されて媒体９０に付着したインクのドットの完全な硬化後の大きさと、キャリッジ１３がキャリッジ移動装置１７によって復路方向に移動させられている場合にインクジェットヘッド７２によって吐出されて媒体９０に付着したインクのドットの完全な硬化後の大きさとが略同一になるように調整されている。
【０１１０】
同様に、インクジェットヘッド７３によってインクが吐出される場合にキャリッジ１３がキャリッジ移動装置１７によって往路方向に移動させられる速度と、インクジェットヘッド７３によってインクが吐出される場合にキャリッジ１３がキャリッジ移動装置１７によって復路方向に移動させられる速度と、光照射装置８５および光照射装置８６によって照射される光の強さとは、キャリッジ１３がキャリッジ移動装置１７によって往路方向に移動させられている場合にインクジェットヘッド７３によって吐出されて媒体９０に付着したインクのドットの完全な硬化後の大きさと、キャリッジ１３がキャリッジ移動装置１７によって復路方向に移動させられている場合にインクジェットヘッド７３によって吐出されて媒体９０に付着したインクのドットの完全な硬化後の大きさとが略同一になるように調整されている。
【０１１１】
同様に、インクジェットヘッド７４によってインクが吐出される場合にキャリッジ１３がキャリッジ移動装置１７によって往路方向に移動させられる速度と、インクジェットヘッド７４によってインクが吐出される場合にキャリッジ１３がキャリッジ移動装置１７によって復路方向に移動させられる速度と、光照射装置８７および光照射装置８８によって照射される光の強さとは、キャリッジ１３がキャリッジ移動装置１７によって往路方向に移動させられている場合にインクジェットヘッド７４によって吐出されて媒体９０に付着したインクのドットの完全な硬化後の大きさと、キャリッジ１３がキャリッジ移動装置１７によって復路方向に移動させられている場合にインクジェットヘッド７４によって吐出されて媒体９０に付着したインクのドットの完全な硬化後の大きさとが略同一になるように調整されている。
【０１１２】
インクジェットプリンター１０は、本実施の形態において、プラテン１１に対して媒体９０を副走査方向に搬送することによって、インクジェットヘッド１４に対して媒体９０を副走査方向に移動させている。しかしながら、インクジェットプリンター１０は、図８に示すように、プラテン１１を図１に示すものより副走査方向に伸ばして、いわゆるフラットベッドタイプのインクジェットプリンターにして、プラテン１１に対してガイドレール１２およびキャリッジ１３を副走査方向に移動させる機構を備えることによって、媒体９０に対してインクジェットヘッド１４を副走査方向に移動させても良い。
【符号の説明】
【０１１３】
１０  インクジェットプリンター
１０ｂ  矢印（主走査方向を示す矢印）
１０ｅ  矢印（副走査方向を示す矢印）
１４  インクジェットヘッド
１５  光照射装置
２２  制御部
３０ａ〜３０ｄ  距離
３１、３２  インクジェットヘッド
３３〜３７  光照射装置
４０ａ〜４０ｄ  距離
４１〜４２  インクジェットヘッド
４３〜４７  光照射装置
５０ａ〜５０ｄ  距離
５１、５２  インクジェットヘッド
５３〜５７  光照射装置
６０ａ、６０ｂ  距離
６１  インクジェットヘッド
６２〜６４  光照射装置
７０ａ〜７０ｈ  距離
７１〜７４  インクジェットヘッド
８１〜８９  光照射装置
９０  媒体
【図１】
2020175563.tif 000003
【図２】
2020175563.tif 000004
【図３】
2020175563.tif 000005
【図４】
2020175563.tif 000006
【図５】
2020175563.tif 000007
【図６】
2020175563.tif 000008
【図７】
2020175563.tif 000009
【図８】
2020175563.tif 000010